(57)【要約】【課題】本発明は廃水処理装置を開示した。【解決手段】装置主体を含み、前記装置主体の中には廃水と粒状物質凝集剤とを撹拌させ反応を起こさせる混合反応機構が設置され、本発明が作動中に、コンパクトな伝動構造により廃水の処理を完成し、各機構の間の伝動により装置作動の関連性を増加し、汚水が混合チャンバに入るときインペラを駆動し回転させ、装置の作動に十分の運動エネルギーを提供し、ラチェット機構と力蓄積ばねにより装置作動のとき発生する運動エネルギーをリサイクルし、エネルギーを節約し、同時に流れる水の量に応じて随時に粒状物質凝集剤を自動的に添加し、回転方向が逆な撹拌機構と反応チャンバにより汚水に添加された粒状物質凝集剤の撹拌の均一性を増加し、濾過効率を高め、十分の浄化を保証する。【選択図】図１
2020182921.tif 000002
【特許請求の範囲】
【請求項１】
正面視で、装置主体を含み、前記装置主体の中には廃水と粒状物質凝集剤とを撹拌させ反応を起こさせる混合反応機構が設置され、前記混合反応機構が粒状物質凝集剤仕込み口を含み、前記粒状物質凝集剤仕込み口の上端壁が外界空間と連通し、前記粒状物質凝集剤仕込み口の下端壁の中にはプッシュチャンバが設置され、前記プッシュチャンバの左側にはばねチャンバが設置され、前記ばねチャンバの中にはプッシュばねが設置され、前記プッシュチャンバの右側には混合チャンバが設置され、前記混合チャンバの上端壁には廃水入り口が設置され、前記プッシュチャンバの中には粒状物質凝集剤を飛ばして前記混合チャンバの中に入らせるばねブロックが設置され、前記ばねブロックの右端面には右へ延伸するプッシュロッドが固定的に連結され、前記混合チャンバの中には駆動軸が回転できるように設置され、前記駆動軸にはインペラが固定的に連結され、前記駆動軸には前記インペラの下側に位置するカムが固定的に連結され、前記カムの左端と前記プッシュロッドの右端とが当接され、前記混合チャンバの中には固定ブロックが設置され、前記駆動軸には前記固定ブロックの下側に位置する駆動プーリが固定的に連結され、前記混合チャンバの左端壁の中には前記プッシュチャンバの下側に位置する第一ベルトチャンバが設置され、前記第一ベルトチャンバの下側には第二ベルトチャンバが設置され、前記第二ベルトチャンバの下側には撹拌濾過機構が設置され、前記撹拌濾過機構が伝動チャンバを含み、前記伝動チャンバの中には伝動スパーギヤーが設置され、前記伝動スパーギヤーの右端には被動スパーギヤーが噛合し連結され、前記被動スパーギヤーの中心には撹拌ロールが固定的に連結され、前記撹拌ロールの中には撹拌空間が設置され、前記撹拌空間の右上端壁と前記混合チャンバの左下端壁とが連通し、前記撹拌空間の中には濾過網がスライドできるように連結され、前記濾過網の下端面には下へ延伸し、かつ、左右端面にいずれも歯付きのプレスバーが固定的に連結され、前記撹拌空間の下端壁の中にはプレスチャンバが設置され、前記第一ベルトチャンバの中には下へ延伸する撹拌棒が回転できるように連結され、前記撹拌空間の下側には制御機構が設置され、前記制御機構が制御チャンバを含み、前記プレスチャンバが前記制御チャンバの上下端壁を貫通し、かつ、前記制御チャンバと連通し、前記プレスバーの左右端面には制御歯車が対称的に噛合し連結され、前記撹拌空間の左側には前記伝動チャンバの下側に位置するプッシュ機構が設置され、前記撹拌空間の右側には前記伝動チャンバの下側に位置する沈殿物出口機構が設置され、前記撹拌空間の右下端壁の中には下端壁が外界空間と連通する排水口が設置され、前記排水口の上端壁と前記撹拌空間とが連通し、前記排水口の中には排水制御弁が設置され、前記混合反応機構がまた前記駆動軸に固定的に取り付けられる二本の回転棒を含むことを特徴とする廃水処理装置。
【請求項２】
前記撹拌濾過機構がまた前記撹拌棒の下端に固定的に取り付けられる二本の撹拌ロッドを含み、前記撹拌棒には前記第一ベルトチャンバの中に位置する回転プーリが固定的に連結され、前記回転プーリと前記駆動プーリとがベルトにより連結され、前記撹拌棒には前記第二ベルトチャンバの中に位置する第一被動プーリが固定的に連結され、前記第一被動プーリには前記第二ベルトチャンバの中に位置する第二被動プーリがベルトにより連結され、前記第二被動プーリの中心には従動軸が固定的に連結され、前記従動軸が前記第二ベルトチャンバの下端壁と前記伝動チャンバの端壁とを貫通し、かつ、前記伝動チャンバと回転できるように連結されることを特徴とする請求項１に記載の廃水処理装置。
【請求項３】
前記制御機構がまた前記プレスチャンバの下端壁に固定的に取り付けられるプレスばねを含み、前記プレスばねの上端が前記プレスバーの下端面と固定的に連結され、前記制御歯車の中にはラチェット溝が設置され、前記ラチェット溝の上下端壁にはスライド溝が対称的に設置され、前記スライド溝のうち前記制御歯車の中心から離れている端壁には収縮ばねが固定的に連結され、前記収縮ばねのうち前記制御歯車の中心に近い一端にはスライドブロックが固定的に連結され、前記スライドブロックと前記スライド溝とがスライドできるように連結され、前記制御歯車の中心には入力軸が固定的に連結され、前記入力軸と前記制御チャンバの前端壁とが回転できるように連結され、前記入力軸には前記制御歯車の前側に位置する力蓄積ばねが固定的に連結され、前記制御チャンバの後端壁には前記プレスバーの左右両側に対称的に設置される出力軸が回転できるように連結され、前記出力軸にはラチェットが固定的に連結され、前記ラチェットのラチェット歯と前記スライドブロックとが当接され、左側の前記出力軸には前記ラチェットの後側に位置する出力プーリが固定的に連結され、前記出力プーリには連結プーリがベルトにより連結され、前記連結プーリの中心には動力軸が固定的に連結され、前記動力軸が前記動力軸の前後端壁とが回転できるように連結され、右側の前記出力軸には前記ラチェットの後側に位置する第一回転傘歯車が固定的に連結され、前記第一回転傘歯車の後端には第二回転傘歯車が噛合し連結され、前記第二回転傘歯車の中心には旋転軸が固定的に連結されることを特徴とする請求項１に記載の廃水処理装置。
【請求項４】
前記プッシュ機構が押しチャンバを含み、前記撹拌空間の左端壁の中には前記押しチャンバが設置され、前記押しチャンバの右端壁と前記撹拌空間とが連通され、前記押しチャンバの左端壁の中には動力チャンバが設置され、前記動力チャンバの右端壁と前記押しチャンバとが連通され、前記動力チャンバが前記制御チャンバの上端壁の中に位置し、前記制御チャンバの中には前記動力軸が設置され、前記動力軸には前記連結プーリの後側に位置する入力傘歯車が固定的に連結され、前記入力傘歯車の上端には出力傘歯車が噛合し連結され、前記出力傘歯車の上端には回転軸が固定的に連結され、前記回転軸の上端が前記制御チャンバの上端壁と前記動力チャンバの下端壁とを貫通し、かつ、前記動力チャンバの中に位置し、前記回転軸の上端には被動傘歯車が固定的に連結され、前記被動傘歯車の後端には連結傘歯車が噛合し連結され、前記連結傘歯車の中心には連結軸が固定的に連結され、前記連結軸が前記動力チャンバの前後端壁と回転できるように連結され、前記連結軸には前記連結傘歯車の後側に位置する第一連接棒が回転できるように連結され、前記第一連接棒のもう一端には第二連接棒が回転できるように連結され、前記第二連接棒のもう一端が前記動力チャンバの右端壁を貫通し、かつ、前記押しチャンバの中に位置し、前記押しチャンバの中にはプッシュブロックがスライドできるように連結され、前記プッシュブロックの左端面には連結棒が固定的に連結され、前記入力傘歯車のもう一端が前記連結棒の左端に固定的に連結されることを特徴とする請求項１に記載の廃水処理装置。
【請求項５】
前記沈殿物出口機構が前記撹拌空間の右端壁に設置される沈殿物出口を含み、前記制御チャンバの右端壁の中には運送空きチャンバが設置され、前記運送空きチャンバの前端壁の中にはラック移動チャンバが設置され、前記ラック移動チャンバの後端壁の中には前記運送空きチャンバの上側に位置する平行移動チャンバが設置され、前記旋転軸が前記制御チャンバの右端壁と前記運送空きチャンバの端壁とを貫通し、かつ、前記運送空きチャンバと回転できるように連結され、前記旋転軸には前記運送空きチャンバの中に位置する回転歯車が固定的に連結され、前記回転歯車の前端には移動ラックが噛合し連結され、前記移動ラックが前記運送空きチャンバの上端壁と前記平行移動チャンバの下端壁とを貫通し、前記移動ラックが前記ラック移動チャンバの左右端壁とスライドできるように連結され、前記移動ラックの前端面にはロープが固定的に連結され、前記ロープのもう一端が前記プレスバーの下端面に固定的に連結され、前記移動ラックの前端面には前記ロープの上下両側に対称的に設置される第一戻しばねが固定的に連結され、前記第一戻しばねの前端が前記ラック移動チャンバの前端壁と固定的に連結され、前記平行移動チャンバの中には出口スライディングドアがスライドできるように連結され、前記出口スライディングドアが前記沈殿物出口の上下端壁を貫通し、前記出口スライディングドアの下端面には第二戻しばねが固定的に連結され、前記第二戻しばねの下端が前記平行移動チャンバの下端壁と固定的に連結され、前記出口スライディングドアの中には空き溝が設置され、前記空き溝の前端壁が前記平行移動チャンバと連通され、前記空き溝の中には移動ブロックがスライドできるように連結され、前記移動ブロックの前端が前記空き溝の前端壁を貫通し、かつ、前記移動ラックの後端面と固定的に連結されることを特徴とする請求項１に記載の廃水処理装置。
【発明の詳細な説明】
【技術分野】
【０００１】
本発明は廃水処理分野を取り上げて、具体的には廃水処理装置である。
【背景技術】
【０００２】
汚水は汚染された、生活と工業生産から排出された廃水であり、これらの汚水が排出されるとき、排出されることができるまで、処理され、かつ、合格までテストされる必要があり、汚水処理中にまず汚水の大きな粒状物を沈殿物し濾過する必要があり、従来の処理方式は、人工でカリウムミョウバンなどの浄化剤を加えることであり、効率が非常に低く、既存の浄化装置は構造が複雑で、機構間の関連性が悪く、装置が作動するとき商用電源によりエネルギーを提供する必要があり、大量のエネルギーが必要となり、同時に反応する間に浄化剤と汚水とが均一に撹拌されることができなく、カリウムミョウバンと汚水との反応速度が遅く、同時に汚水の流量が変化するときタイムリーで浄化剤の添加量を変えることができなく、使用の柔軟性が良くない。
【先行技術文献】
【特許文献】
【０００３】
【特許文献１】中国特許出願公開第１０５６２１７６０号明細書
【発明の概要】
【発明が解決しようとする課題】
【０００４】
本発明の目的は廃水処理装置を提供し、それは上記の現在の技術中の問題を解決できる。
【課題を解決するための手段】
【０００５】
上記の課題を解決するため、本発明は以下の技術プランを採用する：廃水処理装置は、装置主体を含み、前記装置主体の中には廃水と粒状物質凝集剤とを撹拌させ反応を起こさせる混合反応機構が設置され、前記混合反応機構が粒状物質凝集剤仕込み口を含み、前記粒状物質凝集剤仕込み口の上端壁が外界空間と連通し、前記粒状物質凝集剤仕込み口の下端壁の中にはプッシュチャンバが設置され、前記プッシュチャンバの左側にはばねチャンバが設置され、前記ばねチャンバの中にはプッシュばねが設置され、前記プッシュチャンバの右側には混合チャンバが設置され、前記混合チャンバの上端壁には廃水入り口が設置され、前記プッシュチャンバの中には粒状物質凝集剤を飛ばして前記混合チャンバの中に入らせるばねブロックが設置され、前記ばねブロックの右端面には右へ延伸するプッシュロッドが固定的に連結され、前記混合チャンバの中には駆動軸が回転できるように設置され、前記駆動軸にはインペラが固定的に連結され、前記駆動軸には前記インペラの下側に位置するカムが固定的に連結され、前記カムの左端と前記プッシュロッドの右端とが当接され、前記混合チャンバの中には固定ブロックが設置され、前記駆動軸には前記固定ブロックの下側に位置する駆動プーリが固定的に連結され、前記混合チャンバの左端壁の中には前記プッシュチャンバの下側に位置する第一ベルトチャンバが設置され、前記第一ベルトチャンバの下側には第二ベルトチャンバが設置され、前記第二ベルトチャンバの下側には撹拌濾過機構が設置され、前記撹拌濾過機構が伝動チャンバを含み、前記伝動チャンバの中には伝動スパーギヤーが設置され、前記伝動スパーギヤーの右端には被動スパーギヤーが噛合し連結され、前記被動スパーギヤーの中心には撹拌ロールが固定的に連結され、前記撹拌ロールの中には撹拌空間が設置され、前記撹拌空間の右上端壁と前記混合チャンバの左下端壁とが連通し、前記撹拌空間の中には濾過網がスライドできるように連結され、前記濾過網の下端面には下へ延伸し、かつ、左右端面にいずれも歯付きのプレスバーが固定的に連結され、前記撹拌空間の下端壁の中にはプレスチャンバが設置され、前記第一ベルトチャンバの中には下へ延伸する撹拌棒が回転できるように連結され、前記撹拌空間の下側には制御機構が設置され、前記制御機構が制御チャンバを含み、前記プレスチャンバが前記制御チャンバの上下端壁を貫通し、かつ、前記制御チャンバと連通し、前記プレスバーの左右端面には制御歯車が対称的に噛合し連結され、前記撹拌空間の左側には前記伝動チャンバの下側に位置するプッシュ機構が設置され、前記撹拌空間の右側には前記伝動チャンバの下側に位置する沈殿物出口機構が設置され、前記撹拌空間の右下端壁の中には下端壁が外界空間と連通する排水口が設置され、前記排水口の上端壁と前記撹拌空間とが連通し、前記排水口の中には排水制御弁が設置され、前記混合反応機構がまた前記駆動軸に固定的に取り付けられる二本の回転棒を含む。
【０００６】
前記撹拌濾過機構がまた前記撹拌棒の下端に固定的に取り付けられる二本の撹拌ロッドを含み、前記撹拌棒には前記第一ベルトチャンバの中に位置する回転プーリが固定的に連結され、前記回転プーリと前記駆動プーリとがベルトにより連結され、前記撹拌棒には前記第二ベルトチャンバの中に位置する第一被動プーリが固定的に連結され、前記第一被動プーリには前記第二ベルトチャンバの中に位置する第二被動プーリがベルトにより連結され、前記第二被動プーリの中心には従動軸が固定的に連結され、前記従動軸が前記第二ベルトチャンバの下端壁と前記伝動チャンバの端壁とを貫通し、かつ、前記伝動チャンバと回転できるように連結される。
【０００７】
前記制御機構がまた前記プレスチャンバの下端壁に固定的に取り付けられるプレスばねを含み、前記プレスばねの上端が前記プレスバーの下端面と固定的に連結され、前記制御歯車の中にはラチェット溝が設置され、前記ラチェット溝の上下端壁にはスライド溝が対称的に設置され、前記スライド溝のうち前記制御歯車の中心から離れている端壁には収縮ばねが固定的に連結され、前記収縮ばねのうち前記制御歯車の中心に近い一端にはスライドブロックが固定的に連結され、前記スライドブロックと前記スライド溝とがスライドできるように連結され、前記制御歯車の中心には入力軸が固定的に連結され、前記入力軸と前記制御チャンバの前端壁とが回転できるように連結され、前記入力軸には前記制御歯車の前側に位置する力蓄積ばねが固定的に連結され、前記制御チャンバの後端壁には前記プレスバーの左右両側に対称的に設置される出力軸が回転できるように連結され、前記出力軸にはラチェットが固定的に連結され、前記ラチェットのラチェット歯と前記スライドブロックとが当接され、左側の前記出力軸には前記ラチェットの後側に位置する出力プーリが固定的に連結され、前記出力プーリには連結プーリがベルトにより連結され、前記連結プーリの中心には動力軸が固定的に連結され、前記動力軸が前記動力軸の前後端壁とが回転できるように連結され、右側の前記出力軸には前記ラチェットの後側に位置する第一回転傘歯車が固定的に連結され、前記第一回転傘歯車の後端には第二回転傘歯車が噛合し連結され、前記第二回転傘歯車の中心には旋転軸が固定的に連結される。
【０００８】
前記プッシュ機構が押しチャンバを含み、前記撹拌空間の左端壁の中には前記押しチャンバが設置され、前記押しチャンバの右端壁と前記撹拌空間とが連通され、前記押しチャンバの左端壁の中には動力チャンバが設置され、前記動力チャンバの右端壁と前記押しチャンバとが連通され、前記動力チャンバが前記制御チャンバの上端壁の中に位置し、前記制御チャンバの中には前記動力軸が設置され、前記動力軸には前記連結プーリの後側に位置する入力傘歯車が固定的に連結され、前記入力傘歯車の上端には出力傘歯車が噛合し連結され、前記出力傘歯車の上端には回転軸が固定的に連結され、前記回転軸の上端が前記制御チャンバの上端壁と前記動力チャンバの下端壁とを貫通し、かつ、前記動力チャンバの中に位置し、前記回転軸の上端には被動傘歯車が固定的に連結され、前記被動傘歯車の後端には連結傘歯車が噛合し連結され、前記連結傘歯車の中心には連結軸が固定的に連結され、前記連結軸が前記動力チャンバの前後端壁と回転できるように連結され、前記連結軸には前記連結傘歯車の後側に位置する第一連接棒が回転できるように連結され、前記第一連接棒のもう一端には第二連接棒が回転できるように連結され、前記第二連接棒のもう一端が前記動力チャンバの右端壁を貫通し、かつ、前記押しチャンバの中に位置し、前記押しチャンバの中にはプッシュブロックがスライドできるように連結され、前記プッシュブロックの左端面には連結棒が固定的に連結され、前記入力傘歯車のもう一端が前記連結棒の左端に固定的に連結される。
【０００９】
前記沈殿物出口機構が前記撹拌空間の右端壁に設置される沈殿物出口を含み、前記制御チャンバの右端壁の中には運送空きチャンバが設置され、前記運送空きチャンバの前端壁の中にはラック移動チャンバが設置され、前記ラック移動チャンバの後端壁の中には前記運送空きチャンバの上側に位置する平行移動チャンバが設置され、前記旋転軸が前記制御チャンバの右端壁と前記運送空きチャンバの端壁とを貫通し、かつ、前記運送空きチャンバと回転できるように連結され、前記旋転軸には前記運送空きチャンバの中に位置する回転歯車が固定的に連結され、前記回転歯車の前端には移動ラックが噛合し連結され、前記移動ラックが前記運送空きチャンバの上端壁と前記平行移動チャンバの下端壁とを貫通し、前記移動ラックが前記ラック移動チャンバの左右端壁とスライドできるように連結され、前記移動ラックの前端面にはロープが固定的に連結され、前記ロープのもう一端が前記プレスバーの下端面に固定的に連結され、前記移動ラックの前端面には前記ロープの上下両側に対称的に設置される第一戻しばねが固定的に連結され、前記第一戻しばねの前端が前記ラック移動チャンバの前端壁と固定的に連結され、前記平行移動チャンバの中には出口スライディングドアがスライドできるように連結され、前記出口スライディングドアが前記沈殿物出口の上下端壁を貫通し、前記出口スライディングドアの下端面には第二戻しばねが固定的に連結され、前記第二戻しばねの下端が前記平行移動チャンバの下端壁と固定的に連結され、前記出口スライディングドアの中には空き溝が設置され、前記空き溝の前端壁が前記平行移動チャンバと連通され、前記空き溝の中には移動ブロックがスライドできるように連結され、前記移動ブロックの前端が前記空き溝の前端壁を貫通し、かつ、前記移動ラックの後端面と固定的に連結される。
【発明の効果】
【００１０】
以上により、本発明の有益的な効果は：本装置は構造が簡単で、コンパクトな伝動構造により廃水の処理を完成し、各機構の間の伝動により装置作動の関連性を増加し、汚水が混合チャンバに入るときインペラを駆動し回転させ、装置の作動に十分の運動エネルギーを提供し、ラチェット機構と力蓄積ばねにより装置作動のとき発生する運動エネルギーをリサイクルし、エネルギーを節約し、同時に流れる水の量に応じて随時に粒状物質凝集剤を自動的に添加し、回転方向が逆な撹拌機構と反応チャンバにより汚水に添加された粒状物質凝集剤の撹拌の均一性を増加し、濾過効率を高め、十分の浄化を保証する。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の廃水処理装置の全体全断面の正面構造図
【図２】図２は本発明の廃水処理装置の図１のＡ―Ａの構造図
【図３】図３は本発明の廃水処理装置の図１のＢの拡大構造図
【図４】図４は本発明の廃水処理装置の図１のＣ―Ｃの構造図
【図５】図５は本発明の廃水処理装置の図１のＤ―Ｄの構造図
【図６】図６は本発明の廃水処理装置の図１のＥ―Ｅの左面構造図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１５】
図１〜６が示すように、本発明が提供する実施例：廃水処理装置は、装置主体１００を含み、前記装置主体１００の中には廃水と粒状物質凝集剤とを撹拌させ反応を起こさせる混合反応機構２００が設置され、前記混合反応機構２００が粒状物質凝集剤仕込み口１４７を含み、前記粒状物質凝集剤仕込み口１４７の上端壁が外界空間と連通し、前記粒状物質凝集剤仕込み口１４７の下端壁の中にはプッシュチャンバ１４４が設置され、前記プッシュチャンバ１４４の左側にはばねチャンバ１４９が設置され、前記ばねチャンバ１４９の中にはプッシュばね１４８が設置され、前記プッシュチャンバ１４４の右側には混合チャンバ１４３が設置され、前記混合チャンバ１４３の上端壁には廃水入り口１４２が設置され、前記プッシュチャンバ１４４の中には粒状物質凝集剤を飛ばして前記混合チャンバ１４３の中に入らせるばねブロック１４６が設置され、前記ばねブロック１４６の右端面には右へ延伸するプッシュロッド１４５が固定的に連結され、前記混合チャンバ１４３の中には駆動軸１４１が回転できるように設置され、前記駆動軸１４１にはインペラ１４０が固定的に連結され、前記駆動軸１４１には前記インペラ１４０の下側に位置するカム１３９が固定的に連結され、前記カム１３９の左端と前記プッシュロッド１４５の右端とが当接され、前記混合チャンバ１４３の中には固定ブロック１３８が設置され、前記駆動軸１４１には前記固定ブロック１３８の下側に位置する駆動プーリ１３６が固定的に連結され、前記混合チャンバ１４３の左端壁の中には前記プッシュチャンバ１４４の下側に位置する第一ベルトチャンバ１６９が設置され、前記第一ベルトチャンバ１６９の下側には第二ベルトチャンバ１０２が設置され、前記第二ベルトチャンバ１０２の下側には撹拌濾過機構２０１が設置され、前記撹拌濾過機構２０１が伝動チャンバ１０５を含み、前記伝動チャンバ１０５の中には伝動スパーギヤー１０６が設置され、前記伝動スパーギヤー１０６の右端には被動スパーギヤー１０７が噛合し連結され、前記被動スパーギヤー１０７の中心には撹拌ロール１３２が固定的に連結され、前記撹拌ロール１３２の中には撹拌空間１２９が設置され、前記撹拌空間１２９の右上端壁と前記混合チャンバ１４３の左下端壁とが連通し、前記撹拌空間１２９の中には濾過網１２８がスライドできるように連結され、前記濾過網１２８の下端面には下へ延伸し、かつ、左右端面にいずれも歯付きのプレスバー１７０が固定的に連結され、前記撹拌空間１２９の下端壁の中にはプレスチャンバ２１０が設置され、前記第一ベルトチャンバ１６９の中には下へ延伸する撹拌棒１３５が回転できるように連結され、前記撹拌空間１２９の下側には制御機構２０４が設置され、前記制御機構２０４が制御チャンバ１１８を含み、前記プレスチャンバ２１０が前記制御チャンバ１１８の上下端壁を貫通し、かつ、前記制御チャンバ１１８と連通し、前記プレスバー１７０の左右端面には制御歯車１５２が対称的に噛合し連結され、前記撹拌空間１２９の左側には前記伝動チャンバ１０５の下側に位置するプッシュ機構２０２が設置され、前記撹拌空間１２９の右側には前記伝動チャンバ１０５の下側に位置する沈殿物出口機構２０３が設置され、前記撹拌空間１２９の右下端壁の中には下端壁が外界空間と連通する排水口１２０が設置され、前記排水口１２０の上端壁と前記撹拌空間１２９とが連通し、前記排水口１２０の中には排水制御弁１１９が設置され、前記混合反応機構２００がまた前記駆動軸１４１に固定的に取り付けられる二本の回転棒１３４を含み、その作用は、廃水と粒状物質凝集剤とに対し初期の撹拌を行う。
【００１６】
有益的に、前記撹拌濾過機構２０１がまた前記撹拌棒１３５の下端に固定的に取り付けられる二本の撹拌ロッド１３１を含み、前記撹拌棒１３５には前記第一ベルトチャンバ１６９の中に位置する回転プーリ１３７が固定的に連結され、前記回転プーリ１３７と前記駆動プーリ１３６とがベルトにより連結され、前記撹拌棒１３５には前記第二ベルトチャンバ１０２の中に位置する第一被動プーリ１３３が固定的に連結され、前記第一被動プーリ１３３には前記第二ベルトチャンバ１０２の中に位置する第二被動プーリ１０３がベルトにより連結され、前記第二被動プーリ１０３の中心には従動軸１０４が固定的に連結され、前記従動軸１０４が前記第二ベルトチャンバ１０２の下端壁と前記伝動チャンバ１０５の端壁とを貫通し、かつ、前記伝動チャンバ１０５と回転できるように連結され、その作用は、前記撹拌棒１３５と前記撹拌ロール１３２とが逆方向に回転することを実現し、廃水と粒状物質凝集剤との撹拌速度を高める。
【００１７】
有益的に、前記制御機構２０４がまた前記プレスチャンバ２１０の下端壁に固定的に取り付けられるプレスばね１９７を含み、前記プレスばね１９７の上端が前記プレスバー１７０の下端面と固定的に連結され、前記制御歯車１５２の中にはラチェット溝１５４が設置され、前記ラチェット溝１５４の上下端壁にはスライド溝１５７が対称的に設置され、前記スライド溝１５７のうち前記制御歯車１５２の中心から離れている端壁には収縮ばね１５８が固定的に連結され、前記収縮ばね１５８のうち前記制御歯車１５２の中心に近い一端にはスライドブロック１５６が固定的に連結され、前記スライドブロック１５６と前記スライド溝１５７とがスライドできるように連結され、前記制御歯車１５２の中心には入力軸１５３が固定的に連結され、前記入力軸１５３と前記制御チャンバ１１８の前端壁とが回転できるように連結され、前記入力軸１５３には前記制御歯車１５２の前側に位置する力蓄積ばね１８４が固定的に連結され、前記制御チャンバ１１８の後端壁には前記プレスバー１７０の左右両側に対称的に設置される出力軸１５５が回転できるように連結され、前記出力軸１５５にはラチェット１５１が固定的に連結され、前記ラチェット１５１のラチェット歯と前記スライドブロック１５６とが当接され、左側の前記出力軸１５５には前記ラチェット１５１の後側に位置する出力プーリ１７６が固定的に連結され、前記出力プーリ１７６には連結プーリ１１７がベルトにより連結され、前記連結プーリ１１７の中心には動力軸１８１が固定的に連結され、前記動力軸１８１が前記動力軸１８１の前後端壁とが回転できるように連結され、右側の前記出力軸１５５には前記ラチェット１５１の後側に位置する第一回転傘歯車１６５が固定的に連結され、前記第一回転傘歯車１６５の後端には第二回転傘歯車１６４が噛合し連結され、前記第二回転傘歯車１６４の中心には旋転軸１２２が固定的に連結され、その作用は、前記濾過網１２８に積み上げてある沈殿物を外界空間に押し出す。
【００１８】
有益的に、前記プッシュ機構２０２が押しチャンバ１９８を含み、前記撹拌空間１２９の左端壁の中には前記押しチャンバ１９８が設置され、前記押しチャンバ１９８の右端壁と前記撹拌空間１２９とが連通され、前記押しチャンバ１９８の左端壁の中には動力チャンバ１０９が設置され、前記動力チャンバ１０９の右端壁と前記押しチャンバ１９８とが連通され、前記動力チャンバ１０９が前記制御チャンバ１１８の上端壁の中に位置し、前記制御チャンバ１１８の中には前記動力軸１８１が設置され、前記動力軸１８１には前記連結プーリ１１７の後側に位置する入力傘歯車１１６が固定的に連結され、前記入力傘歯車１１６の上端には出力傘歯車１１５が噛合し連結され、前記出力傘歯車１１５の上端には回転軸１１４が固定的に連結され、前記回転軸１１４の上端が前記制御チャンバ１１８の上端壁と前記動力チャンバ１０９の下端壁とを貫通し、かつ、前記動力チャンバ１０９の中に位置し、前記回転軸１１４の上端には被動傘歯車１１３が固定的に連結され、前記被動傘歯車１１３の後端には連結傘歯車１１１が噛合し連結され、前記連結傘歯車１１１の中心には連結軸１１２が固定的に連結され、前記連結軸１１２が前記動力チャンバ１０９の前後端壁と回転できるように連結され、前記連結軸１１２には前記連結傘歯車１１１の後側に位置する第一連接棒１１０が回転できるように連結され、前記第一連接棒１１０のもう一端には第二連接棒１６６が回転できるように連結され、前記第二連接棒１６６のもう一端が前記動力チャンバ１０９の右端壁を貫通し、かつ、前記押しチャンバ１９８の中に位置し、前記押しチャンバ１９８の中にはプッシュブロック１３０がスライドできるように連結され、前記プッシュブロック１３０の左端面には連結棒１６８が固定的に連結され、前記入力傘歯車１１６のもう一端が前記連結棒１６８の左端に固定的に連結され、その作用は、前記濾過網１２８の上端面に積み上げてある沈殿物を外界空間に押し出す。
【００１９】
有益的に、前記沈殿物出口機構２０３が前記撹拌空間１２９の右端壁に設置される沈殿物出口１２６を含み、前記制御チャンバ１１８の右端壁の中には運送空きチャンバ１２１が設置され、前記運送空きチャンバ１２１の前端壁の中にはラック移動チャンバ１９９が設置され、前記ラック移動チャンバ１９９の後端壁の中には前記運送空きチャンバ１２１の上側に位置する平行移動チャンバ１２４が設置され、前記旋転軸１２２が前記制御チャンバ１１８の右端壁と前記運送空きチャンバ１２１の端壁とを貫通し、かつ、前記運送空きチャンバ１２１と回転できるように連結され、前記旋転軸１２２には前記運送空きチャンバ１２１の中に位置する回転歯車１２３が固定的に連結され、前記回転歯車１２３の前端には移動ラック１９５が噛合し連結され、前記移動ラック１９５が前記運送空きチャンバ１２１の上端壁と前記平行移動チャンバ１２４の下端壁とを貫通し、前記移動ラック１９５が前記ラック移動チャンバ１９９の左右端壁とスライドできるように連結され、前記移動ラック１９５の前端面にはロープ１９１が固定的に連結され、前記ロープ１９１のもう一端が前記プレスバー１７０の下端面に固定的に連結され、前記移動ラック１９５の前端面には前記ロープ１９１の上下両側に対称的に設置される第一戻しばね１９６が固定的に連結され、前記第一戻しばね１９６の前端が前記ラック移動チャンバ１９９の前端壁と固定的に連結され、前記平行移動チャンバ１２４の中には出口スライディングドア１２７がスライドできるように連結され、前記出口スライディングドア１２７が前記沈殿物出口１２６の上下端壁を貫通し、前記出口スライディングドア１２７の下端面には第二戻しばね１２５が固定的に連結され、前記第二戻しばね１２５の下端が前記平行移動チャンバ１２４の下端壁と固定的に連結され、前記出口スライディングドア１２７の中には空き溝１９３が設置され、前記空き溝１９３の前端壁が前記平行移動チャンバ１２４と連通され、前記空き溝１９３の中には移動ブロック１９４がスライドできるように連結され、前記移動ブロック１９４の前端が前記空き溝１９３の前端壁を貫通し、かつ、前記移動ラック１９５の後端面と固定的に連結され、その作用は、前記濾過網１２８が前記押しチャンバ１９８の下端壁に近いところまで上昇するとき、前記出口スライディングドア１２７が降りて前記沈殿物出口１２６を外界空間と連通し、前記プッシュ機構２０２が沈殿物を便利に押し出すことができる。
【００２０】
下記に、出願人が図１〜６と上記の本出願の廃水処理装置の具体的な構成を参照し本出願の廃水処理装置の使用方法を詳しく紹介する：使用するとき、廃水が廃水入り口１４２から混合チャンバ１４３の中に入り、これによりインペラ１４０を駆動し回転させ、粒状物質凝集剤が粒状物質凝集剤仕込み口１４７からプッシュチャンバ１４４の左端壁の中に落ち、インペラ１４０が回転し駆動軸１４１を駆動し回転させ、これによりカム１３９を駆動し回転させ、プッシュロッド１４５の右端とカム１３９の外輪とが接触するとき、プッシュばね１４８が圧縮され、プッシュロッド１４５の右端とカム１３９の凹部とが接触するとき、プッシュばね１４８の弾性により、ばねブロック１４６がプッシュチャンバ１４４の中に落ちる粒状物質凝集剤を飛ばして混合チャンバ１４３に入らせ、混合チャンバ１４３に入る廃水と粒状物質凝集剤とが回転棒１３４の回転により反応を起こし、そして初期撹拌された廃水と粒状物質凝集剤とが混合チャンバ１４３の下端壁から撹拌空間１２９の中に入り、水の衝撃力により濾過網１２８の降下を駆動し、駆動軸１４１が回転し駆動プーリ１３６を駆動し回転させ、これにより駆動プーリ１３６とベルトにより連結される回転プーリ１３７を駆動し回転させ、これにより撹拌棒１３５を駆動し回転させ、これにより第一被動プーリ１３３を駆動し回転させ、これにより第一被動プーリ１３３とベルトにより連結される第二被動プーリ１０３を駆動し回転させ、これにより従動軸１０４を駆動し回転させ、これにより伝動スパーギヤー１０６を駆動し回転させ、これにより伝動スパーギヤー１０６と噛合する被動スパーギヤー１０７を駆動し回転させ、これにより撹拌棒１３５と撹拌ロール１３２との対向回転を実現し、二回撹拌の速度を高め、廃水と粒状物質凝集剤との反応がより十分になる。
【００２１】
そして、排水制御弁１１９を開き、反応に撹拌された水を排水口１２０から排出した後、濾過網１２８の上端面には残りの沈殿物しかなく、これにより濾過網１２８が上昇し、これによりプレスバー１７０を駆動し上昇させ、制御歯車１５２が回転し、これにより入力軸１５３を駆動し回転させ、これにより力蓄積ばね１８４が力を蓄積し、濾過網１２８が押しチャンバ１９８の下端壁に近いところまで上昇するとき、プレスバー１７０が制御歯車１５２との噛合から離れ、制御歯車１５２が逆方向に回転し、これによりラチェット１５１を駆動し回転させ、これにより出力軸１５５を駆動し回転させ、これにより第一回転傘歯車１６５を駆動し回転させ、これにより第一回転傘歯車１６５と噛合する第二回転傘歯車１６４を駆動し回転させ、これにより旋転軸１２２を駆動し回転させ、これにより回転歯車１２３を駆動し回転させ、これにより回転歯車１２３と噛合する移動ラック１９５を駆動し下へ移動させ、これにより出口スライディングドア１２７を駆動し下へ移動させて沈殿物出口１２６を外界空間と連通し、第二戻しばね１２５が圧縮され、制御歯車１５２が逆方向に回転し、これによりラチェット１５１を駆動し回転させ、これにより出力軸１５５を駆動し回転させ、これにより出力プーリ１７６を駆動し回転させ、これにより出力プーリ１７６とベルトにより連結される連結プーリ１１７を駆動し回転させ、これにより動力軸１８１を駆動し回転させ、これにより入力傘歯車１１６を駆動し回転させ、これにより出力傘歯車１１５を駆動し回転させ、これにより回転軸１１４を駆動し回転させ、これにより被動傘歯車１１３を駆動し回転させ、連結傘歯車１１１をちょうど一周回転させ、これにより連結軸１１２を駆動し回転させ、これにより第一連接棒１１０を駆動し回転させ、これにより第二連接棒１６６を駆動し第一連接棒１１０の回転と共に回転させ、これにより連結棒１６８とプッシュブロック１３０とを駆動し濾過網１２８の上端面に積み上げてある沈殿物を押し出しリセットし、プレスバー１７０が制御歯車１５２との噛合から離れ、プッシュ機構２０２が沈殿物を沈殿物出口１２６から外界空間に押し出す。
【００２２】
そして、沈殿物が押し出された後、プレスばね１９７がリセットし続けプレスバー１７０と濾過網１２８とをプッシュし上に移動させ、これによりロープ１９１が移動ラック１９５を前に引き出し、移動ラック１９５の後端面が回転歯車１２３との噛合から離れ、これにより第二戻しばね１２５が出口スライディングドア１２７を上にプッシュし、これにより移動ラック１９５が出口スライディングドア１２７と共に上に移動し、第一戻しばね１９６が改めて移動ラック１９５を前にプッシュし移動ラック１９５の後端面を回転歯車１２３と改めて噛合させ、装置が初期位置に戻る。
【００２３】
本発明の有益的な効果は：本装置は構造が簡単で、コンパクトな伝動構造により廃水の処理を完成し、各機構の間の伝動により装置作動の関連性を増加し、汚水が混合チャンバに入るときインペラを駆動し回転させ、装置の作動に十分の運動エネルギーを提供し、ラチェット機構と力蓄積ばねにより装置作動のとき発生する運動エネルギーをリサイクルし、エネルギーを節約し、同時に流れる水の量に応じて随時に粒状物質凝集剤を自動的に添加し、回転方向が逆な撹拌機構と反応チャンバにより汚水に添加された粒状物質凝集剤の撹拌の均一性を増加し、濾過効率を高め、十分の浄化を保証する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020182921.tif 000003
【図２】
2020182921.tif 000004
【図３】
2020182921.tif 000005
【図４】
2020182921.tif 000006
【図５】
2020182921.tif 000007
【図６】
2020182921.tif 000008
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
正面視で、装置主体を含み、前記装置主体の中には廃水と粒状物質凝集剤とを撹拌させ反応を起こさせる混合反応機構が設置され、前記混合反応機構が粒状物質凝集剤仕込み口を含み、前記粒状物質凝集剤仕込み口の上端壁が外界空間と連通し、前記粒状物質凝集剤仕込み口の下端壁の中にはプッシュチャンバが設置され、前記プッシュチャンバの左側にはばねチャンバが設置され、前記ばねチャンバの中にはプッシュばねが設置され、前記プッシュチャンバの右側には混合チャンバが設置され、前記混合チャンバの上端壁には廃水入り口が設置され、前記プッシュチャンバの中には粒状物質凝集剤を飛ばして前記混合チャンバの中に入らせるばねブロックが設置され、前記ばねブロックの右端面には右へ延伸するプッシュロッドが固定的に連結され、前記混合チャンバの中には駆動軸が回転できるように設置され、前記駆動軸にはインペラが固定的に連結され、前記駆動軸には前記インペラの下側に位置するカムが固定的に連結され、前記カムの左端と前記プッシュロッドの右端とが当接され、前記混合チャンバの中には固定ブロックが設置され、前記駆動軸には前記固定ブロックの下側に位置する駆動プーリが固定的に連結され、前記混合チャンバの左端壁の中には前記プッシュチャンバの下側に位置する第一ベルトチャンバが設置され、前記第一ベルトチャンバの下側には第二ベルトチャンバが設置され、前記第二ベルトチャンバの下側には撹拌濾過機構が設置され、前記撹拌濾過機構が伝動チャンバを含み、前記伝動チャンバの中には伝動スパーギヤーが設置され、前記伝動スパーギヤーの右端には被動スパーギヤーが噛合し連結され、前記被動スパーギヤーの中心には撹拌ロールが固定的に連結され、前記撹拌ロールの中には撹拌空間が設置され、前記撹拌空間の右上端壁と前記混合チャンバの左下端壁とが連通し、前記撹拌空間の中には濾過網がスライドできるように連結され、前記濾過網の下端面には下へ延伸し、かつ、左右端面にいずれも歯付きのプレスバーが固定的に連結され、前記撹拌空間の下端壁の中にはプレスチャンバが設置され、前記第一ベルトチャンバの中には下へ延伸する撹拌棒が回転できるように連結され、前記撹拌空間の下側には制御機構が設置され、前記制御機構が制御チャンバを含み、前記プレスチャンバが前記制御チャンバの上下端壁を貫通し、かつ、前記制御チャンバと連通し、前記プレスバーの左右端面には制御歯車が対称的に噛合し連結され、前記撹拌空間の左側には前記伝動チャンバの下側に位置するプッシュ機構が設置され、前記撹拌空間の右側には前記伝動チャンバの下側に位置する沈殿物出口機構が設置され、前記撹拌空間の右下端壁の中には下端壁が外界空間と連通する排水口が設置され、前記排水口の上端壁と前記撹拌空間とが連通し、前記排水口の中には排水制御弁が設置され、前記混合反応機構がまた前記駆動軸に固定的に取り付けられる二本の回転棒を含むことを特徴とする廃水処理装置。
【請求項２】
前記撹拌濾過機構がまた前記撹拌棒の下端に固定的に取り付けられる二本の撹拌ロッドを含み、前記撹拌棒には前記第一ベルトチャンバの中に位置する回転プーリが固定的に連結され、前記回転プーリと前記駆動プーリとがベルトにより連結され、前記撹拌棒には前記第二ベルトチャンバの中に位置する第一被動プーリが固定的に連結され、前記第一被動プーリには前記第二ベルトチャンバの中に位置する第二被動プーリがベルトにより連結され、前記第二被動プーリの中心には従動軸が固定的に連結され、前記従動軸が前記第二ベルトチャンバの下端壁と前記伝動チャンバの端壁とを貫通し、かつ、前記伝動チャンバと回転できるように連結されることを特徴とする請求項１に記載の廃水処理装置。
【請求項３】
前記制御機構がまた前記プレスチャンバの下端壁に固定的に取り付けられるプレスばねを含み、前記プレスばねの上端が前記プレスバーの下端面と固定的に連結され、前記制御歯車の中にはラチェット溝が設置され、前記ラチェット溝の上下端壁にはスライド溝が対称的に設置され、前記スライド溝のうち前記制御歯車の中心から離れている端壁には収縮ばねが固定的に連結され、前記収縮ばねのうち前記制御歯車の中心に近い一端にはスライドブロックが固定的に連結され、前記スライドブロックと前記スライド溝とがスライドできるように連結され、前記制御歯車の中心には入力軸が固定的に連結され、前記入力軸と前記制御チャンバの前端壁とが回転できるように連結され、前記入力軸には前記制御歯車の前側に位置する力蓄積ばねが固定的に連結され、前記制御チャンバの後端壁には前記プレスバーの左右両側に対称的に設置される出力軸が回転できるように連結され、前記出力軸にはラチェットが固定的に連結され、前記ラチェットのラチェット歯と前記スライドブロックとが当接され、左側の前記出力軸には前記ラチェットの後側に位置する出力プーリが固定的に連結され、前記出力プーリには連結プーリがベルトにより連結され、前記連結プーリの中心には動力軸が固定的に連結され、前記動力軸が前記動力軸の前後端壁とが回転できるように連結され、右側の前記出力軸には前記ラチェットの後側に位置する第一回転傘歯車が固定的に連結され、前記第一回転傘歯車の後端には第二回転傘歯車が噛合し連結され、前記第二回転傘歯車の中心には旋転軸が固定的に連結されることを特徴とする請求項１に記載の廃水処理装置。
【請求項４】
前記プッシュ機構が押しチャンバを含み、前記撹拌空間の左端壁の中には前記押しチャンバが設置され、前記押しチャンバの右端壁と前記撹拌空間とが連通され、前記押しチャンバの左端壁の中には動力チャンバが設置され、前記動力チャンバの右端壁と前記押しチャンバとが連通され、前記動力チャンバが前記制御チャンバの上端壁の中に位置し、前記制御チャンバの中には前記動力軸が設置され、前記動力軸には前記連結プーリの後側に位置する入力傘歯車が固定的に連結され、前記入力傘歯車の上端には出力傘歯車が噛合し連結され、前記出力傘歯車の上端には回転軸が固定的に連結され、前記回転軸の上端が前記制御チャンバの上端壁と前記動力チャンバの下端壁とを貫通し、かつ、前記動力チャンバの中に位置し、前記回転軸の上端には被動傘歯車が固定的に連結され、前記被動傘歯車の後端には連結傘歯車が噛合し連結され、前記連結傘歯車の中心には連結軸が固定的に連結され、前記連結軸が前記動力チャンバの前後端壁と回転できるように連結され、前記連結軸には前記連結傘歯車の後側に位置する第一連接棒が回転できるように連結され、前記第一連接棒のもう一端には第二連接棒が回転できるように連結され、前記第二連接棒のもう一端が前記動力チャンバの右端壁を貫通し、かつ、前記押しチャンバの中に位置し、前記押しチャンバの中にはプッシュブロックがスライドできるように連結され、前記プッシュブロックの左端面には連結棒が固定的に連結され、前記第二連接棒のもう一端が前記連結棒の左端に固定的に連結されることを特徴とする請求項１に記載の廃水処理装置。
【請求項５】
前記沈殿物出口機構が前記撹拌空間の右端壁に設置される沈殿物出口を含み、前記制御チャンバの右端壁の中には運送空きチャンバが設置され、前記運送空きチャンバの前端壁の中にはラック移動チャンバが設置され、前記ラック移動チャンバの後端壁の中には前記運送空きチャンバの上側に位置する平行移動チャンバが設置され、前記旋転軸が前記制御チャンバの右端壁と前記運送空きチャンバの端壁とを貫通し、かつ、前記運送空きチャンバと回転できるように連結され、前記旋転軸には前記運送空きチャンバの中に位置する回転歯車が固定的に連結され、前記回転歯車の前端には移動ラックが噛合し連結され、前記移動ラックが前記運送空きチャンバの上端壁と前記平行移動チャンバの下端壁とを貫通し、前記移動ラックが前記ラック移動チャンバの左右端壁とスライドできるように連結され、前記移動ラックの前端面にはロープが固定的に連結され、前記ロープのもう一端が前記プレスバーの下端面に固定的に連結され、前記移動ラックの前端面には前記ロープの上下両側に対称的に設置される第一戻しばねが固定的に連結され、前記第一戻しばねの前端が前記ラック移動チャンバの前端壁と固定的に連結され、前記平行移動チャンバの中には出口スライディングドアがスライドできるように連結され、前記出口スライディングドアが前記沈殿物出口の上下端壁を貫通し、前記出口スライディングドアの下端面には第二戻しばねが固定的に連結され、前記第二戻しばねの下端が前記平行移動チャンバの下端壁と固定的に連結され、前記出口スライディングドアの中には空き溝が設置され、前記空き溝の前端壁が前記平行移動チャンバと連通され、前記空き溝の中には移動ブロックがスライドできるように連結され、前記移動ブロックの前端が前記空き溝の前端壁を貫通し、かつ、前記移動ラックの後端面と固定的に連結されることを特徴とする請求項１に記載の廃水処理装置。
【手続補正２】
【補正対象書類名】明細書
【補正対象項目名】全文
【補正方法】変更
【補正の内容】
【発明の詳細な説明】
【技術分野】
【０００１】
本発明は廃水処理分野を取り上げて、具体的には廃水処理装置である。
【背景技術】
【０００２】
汚水は汚染された、生活と工業生産から排出された廃水であり、これらの汚水が排出されるとき、排出されることができるまで、処理され、かつ、合格までテストされる必要があり、汚水処理中にまず汚水の大きな粒状物を沈殿物し濾過する必要があり、従来の処理方式は、人工でカリウムミョウバンなどの浄化剤を加えることであり、効率が非常に低く、既存の浄化装置は構造が複雑で、機構間の関連性が悪く、装置が作動するとき商用電源によりエネルギーを提供する必要があり、大量のエネルギーが必要となり、同時に反応する間に浄化剤と汚水とが均一に撹拌されることができなく、カリウムミョウバンと汚水との反応速度が遅く、同時に汚水の流量が変化するときタイムリーで浄化剤の添加量を変えることができなく、使用の柔軟性が良くない。
【先行技術文献】
【特許文献】
【０００３】
【特許文献１】中国特許出願公開第１０５６２１７６０号明細書
【発明の概要】
【発明が解決しようとする課題】
【０００４】
本発明の目的は廃水処理装置を提供し、それは上記の現在の技術中の問題を解決できる。
【課題を解決するための手段】
【０００５】
上記の課題を解決するため、本発明は以下の技術プランを採用する：廃水処理装置は、装置主体を含み、前記装置主体の中には廃水と粒状物質凝集剤とを撹拌させ反応を起こさせる混合反応機構が設置され、前記混合反応機構が粒状物質凝集剤仕込み口を含み、前記粒状物質凝集剤仕込み口の上端壁が外界空間と連通し、前記粒状物質凝集剤仕込み口の下端壁の中にはプッシュチャンバが設置され、前記プッシュチャンバの左側にはばねチャンバが設置され、前記ばねチャンバの中にはプッシュばねが設置され、前記プッシュチャンバの右側には混合チャンバが設置され、前記混合チャンバの上端壁には廃水入り口が設置され、前記プッシュチャンバの中には粒状物質凝集剤を飛ばして前記混合チャンバの中に入らせるばねブロックが設置され、前記ばねブロックの右端面には右へ延伸するプッシュロッドが固定的に連結され、前記混合チャンバの中には駆動軸が回転できるように設置され、前記駆動軸にはインペラが固定的に連結され、前記駆動軸には前記インペラの下側に位置するカムが固定的に連結され、前記カムの左端と前記プッシュロッドの右端とが当接され、前記混合チャンバの中には固定ブロックが設置され、前記駆動軸には前記固定ブロックの下側に位置する駆動プーリが固定的に連結され、前記混合チャンバの左端壁の中には前記プッシュチャンバの下側に位置する第一ベルトチャンバが設置され、前記第一ベルトチャンバの下側には第二ベルトチャンバが設置され、前記第二ベルトチャンバの下側には撹拌濾過機構が設置され、前記撹拌濾過機構が伝動チャンバを含み、前記伝動チャンバの中には伝動スパーギヤーが設置され、前記伝動スパーギヤーの右端には被動スパーギヤーが噛合し連結され、前記被動スパーギヤーの中心には撹拌ロールが固定的に連結され、前記撹拌ロールの中には撹拌空間が設置され、前記撹拌空間の右上端壁と前記混合チャンバの左下端壁とが連通し、前記撹拌空間の中には濾過網がスライドできるように連結され、前記濾過網の下端面には下へ延伸し、かつ、左右端面にいずれも歯付きのプレスバーが固定的に連結され、前記撹拌空間の下端壁の中にはプレスチャンバが設置され、前記第一ベルトチャンバの中には下へ延伸する撹拌棒が回転できるように連結され、前記撹拌空間の下側には制御機構が設置され、前記制御機構が制御チャンバを含み、前記プレスチャンバが前記制御チャンバの上下端壁を貫通し、かつ、前記制御チャンバと連通し、前記プレスバーの左右端面には制御歯車が対称的に噛合し連結され、前記撹拌空間の左側には前記伝動チャンバの下側に位置するプッシュ機構が設置され、前記撹拌空間の右側には前記伝動チャンバの下側に位置する沈殿物出口機構が設置され、前記撹拌空間の右下端壁の中には下端壁が外界空間と連通する排水口が設置され、前記排水口の上端壁と前記撹拌空間とが連通し、前記排水口の中には排水制御弁が設置され、前記混合反応機構がまた前記駆動軸に固定的に取り付けられる二本の回転棒を含む。
【０００６】
前記撹拌濾過機構がまた前記撹拌棒の下端に固定的に取り付けられる二本の撹拌ロッドを含み、前記撹拌棒には前記第一ベルトチャンバの中に位置する回転プーリが固定的に連結され、前記回転プーリと前記駆動プーリとがベルトにより連結され、前記撹拌棒には前記第二ベルトチャンバの中に位置する第一被動プーリが固定的に連結され、前記第一被動プーリには前記第二ベルトチャンバの中に位置する第二被動プーリがベルトにより連結され、前記第二被動プーリの中心には従動軸が固定的に連結され、前記従動軸が前記第二ベルトチャンバの下端壁と前記伝動チャンバの端壁とを貫通し、かつ、前記伝動チャンバと回転できるように連結される。
【０００７】
前記制御機構がまた前記プレスチャンバの下端壁に固定的に取り付けられるプレスばねを含み、前記プレスばねの上端が前記プレスバーの下端面と固定的に連結され、前記制御歯車の中にはラチェット溝が設置され、前記ラチェット溝の上下端壁にはスライド溝が対称的に設置され、前記スライド溝のうち前記制御歯車の中心から離れている端壁には収縮ばねが固定的に連結され、前記収縮ばねのうち前記制御歯車の中心に近い一端にはスライドブロックが固定的に連結され、前記スライドブロックと前記スライド溝とがスライドできるように連結され、前記制御歯車の中心には入力軸が固定的に連結され、前記入力軸と前記制御チャンバの前端壁とが回転できるように連結され、前記入力軸には前記制御歯車の前側に位置する力蓄積ばねが固定的に連結され、前記制御チャンバの後端壁には前記プレスバーの左右両側に対称的に設置される出力軸が回転できるように連結され、前記出力軸にはラチェットが固定的に連結され、前記ラチェットのラチェット歯と前記スライドブロックとが当接され、左側の前記出力軸には前記ラチェットの後側に位置する出力プーリが固定的に連結され、前記出力プーリには連結プーリがベルトにより連結され、前記連結プーリの中心には動力軸が固定的に連結され、前記動力軸が前記動力軸の前後端壁とが回転できるように連結され、右側の前記出力軸には前記ラチェットの後側に位置する第一回転傘歯車が固定的に連結され、前記第一回転傘歯車の後端には第二回転傘歯車が噛合し連結され、前記第二回転傘歯車の中心には旋転軸が固定的に連結される。
【０００８】
前記プッシュ機構が押しチャンバを含み、前記撹拌空間の左端壁の中には前記押しチャンバが設置され、前記押しチャンバの右端壁と前記撹拌空間とが連通され、前記押しチャンバの左端壁の中には動力チャンバが設置され、前記動力チャンバの右端壁と前記押しチャンバとが連通され、前記動力チャンバが前記制御チャンバの上端壁の中に位置し、前記制御チャンバの中には前記動力軸が設置され、前記動力軸には前記連結プーリの後側に位置する入力傘歯車が固定的に連結され、前記入力傘歯車の上端には出力傘歯車が噛合し連結され、前記出力傘歯車の上端には回転軸が固定的に連結され、前記回転軸の上端が前記制御チャンバの上端壁と前記動力チャンバの下端壁とを貫通し、かつ、前記動力チャンバの中に位置し、前記回転軸の上端には被動傘歯車が固定的に連結され、前記被動傘歯車の後端には連結傘歯車が噛合し連結され、前記連結傘歯車の中心には連結軸が固定的に連結され、前記連結軸が前記動力チャンバの前後端壁と回転できるように連結され、前記連結軸には前記連結傘歯車の後側に位置する第一連接棒が回転できるように連結され、前記第一連接棒のもう一端には第二連接棒が回転できるように連結され、前記第二連接棒のもう一端が前記動力チャンバの右端壁を貫通し、かつ、前記押しチャンバの中に位置し、前記押しチャンバの中にはプッシュブロックがスライドできるように連結され、前記プッシュブロックの左端面には連結棒が固定的に連結され、前記第二連接棒のもう一端が前記連結棒の左端に固定的に連結される。
【０００９】
前記沈殿物出口機構が前記撹拌空間の右端壁に設置される沈殿物出口を含み、前記制御チャンバの右端壁の中には運送空きチャンバが設置され、前記運送空きチャンバの前端壁の中にはラック移動チャンバが設置され、前記ラック移動チャンバの後端壁の中には前記運送空きチャンバの上側に位置する平行移動チャンバが設置され、前記旋転軸が前記制御チャンバの右端壁と前記運送空きチャンバの端壁とを貫通し、かつ、前記運送空きチャンバと回転できるように連結され、前記旋転軸には前記運送空きチャンバの中に位置する回転歯車が固定的に連結され、前記回転歯車の前端には移動ラックが噛合し連結され、前記移動ラックが前記運送空きチャンバの上端壁と前記平行移動チャンバの下端壁とを貫通し、前記移動ラックが前記ラック移動チャンバの左右端壁とスライドできるように連結され、前記移動ラックの前端面にはロープが固定的に連結され、前記ロープのもう一端が前記プレスバーの下端面に固定的に連結され、前記移動ラックの前端面には前記ロープの上下両側に対称的に設置される第一戻しばねが固定的に連結され、前記第一戻しばねの前端が前記ラック移動チャンバの前端壁と固定的に連結され、前記平行移動チャンバの中には出口スライディングドアがスライドできるように連結され、前記出口スライディングドアが前記沈殿物出口の上下端壁を貫通し、前記出口スライディングドアの下端面には第二戻しばねが固定的に連結され、前記第二戻しばねの下端が前記平行移動チャンバの下端壁と固定的に連結され、前記出口スライディングドアの中には空き溝が設置され、前記空き溝の前端壁が前記平行移動チャンバと連通され、前記空き溝の中には移動ブロックがスライドできるように連結され、前記移動ブロックの前端が前記空き溝の前端壁を貫通し、かつ、前記移動ラックの後端面と固定的に連結される。
【発明の効果】
【００１０】
以上により、本発明の有益的な効果は：本装置は構造が簡単で、コンパクトな伝動構造により廃水の処理を完成し、各機構の間の伝動により装置作動の関連性を増加し、汚水が混合チャンバに入るときインペラを駆動し回転させ、装置の作動に十分の運動エネルギーを提供し、ラチェット機構と力蓄積ばねにより装置作動のとき発生する運動エネルギーをリサイクルし、エネルギーを節約し、同時に流れる水の量に応じて随時に粒状物質凝集剤を自動的に添加し、回転方向が逆な撹拌機構と反応チャンバにより汚水に添加された粒状物質凝集剤の撹拌の均一性を増加し、濾過効率を高め、十分の浄化を保証する。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の廃水処理装置の全体全断面の正面構造図
【図２】図２は本発明の廃水処理装置の図１のＡ―Ａの構造図
【図３】図３は本発明の廃水処理装置の図１のＢの拡大構造図
【図４】図４は本発明の廃水処理装置の図１のＣ―Ｃの構造図
【図５】図５は本発明の廃水処理装置の図１のＤ―Ｄの構造図
【図６】図６は本発明の廃水処理装置の図１のＥ―Ｅの左面構造図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１５】
図１〜６が示すように、本発明が提供する実施例：廃水処理装置は、装置主体１００を含み、前記装置主体１００の中には廃水と粒状物質凝集剤とを撹拌させ反応を起こさせる混合反応機構２００が設置され、前記混合反応機構２００が粒状物質凝集剤仕込み口１４７を含み、前記粒状物質凝集剤仕込み口１４７の上端壁が外界空間と連通し、前記粒状物質凝集剤仕込み口１４７の下端壁の中にはプッシュチャンバ１４４が設置され、前記プッシュチャンバ１４４の左側にはばねチャンバ１４９が設置され、前記ばねチャンバ１４９の中にはプッシュばね１４８が設置され、前記プッシュチャンバ１４４の右側には混合チャンバ１４３が設置され、前記混合チャンバ１４３の上端壁には廃水入り口１４２が設置され、前記プッシュチャンバ１４４の中には粒状物質凝集剤を飛ばして前記混合チャンバ１４３の中に入らせるばねブロック１４６が設置され、前記ばねブロック１４６の右端面には右へ延伸するプッシュロッド１４５が固定的に連結され、前記混合チャンバ１４３の中には駆動軸１４１が回転できるように設置され、前記駆動軸１４１にはインペラ１４０が固定的に連結され、前記駆動軸１４１には前記インペラ１４０の下側に位置するカム１３９が固定的に連結され、前記カム１３９の左端と前記プッシュロッド１４５の右端とが当接され、前記混合チャンバ１４３の中には固定ブロック１３８が設置され、前記駆動軸１４１には前記固定ブロック１３８の下側に位置する駆動プーリ１３６が固定的に連結され、前記混合チャンバ１４３の左端壁の中には前記プッシュチャンバ１４４の下側に位置する第一ベルトチャンバ１６９が設置され、前記第一ベルトチャンバ１６９の下側には第二ベルトチャンバ１０２が設置され、前記第二ベルトチャンバ１０２の下側には撹拌濾過機構２０１が設置され、前記撹拌濾過機構２０１が伝動チャンバ１０５を含み、前記伝動チャンバ１０５の中には伝動スパーギヤー１０６が設置され、前記伝動スパーギヤー１０６の右端には被動スパーギヤー１０７が噛合し連結され、前記被動スパーギヤー１０７の中心には撹拌ロール１３２が固定的に連結され、前記撹拌ロール１３２の中には撹拌空間１２９が設置され、前記撹拌空間１２９の右上端壁と前記混合チャンバ１４３の左下端壁とが連通し、前記撹拌空間１２９の中には濾過網１２８がスライドできるように連結され、前記濾過網１２８の下端面には下へ延伸し、かつ、左右端面にいずれも歯付きのプレスバー１７０が固定的に連結され、前記撹拌空間１２９の下端壁の中にはプレスチャンバ２１０が設置され、前記第一ベルトチャンバ１６９の中には下へ延伸する撹拌棒１３５が回転できるように連結され、前記撹拌空間１２９の下側には制御機構２０４が設置され、前記制御機構２０４が制御チャンバ１１８を含み、前記プレスチャンバ２１０が前記制御チャンバ１１８の上下端壁を貫通し、かつ、前記制御チャンバ１１８と連通し、前記プレスバー１７０の左右端面には制御歯車１５２が対称的に噛合し連結され、前記撹拌空間１２９の左側には前記伝動チャンバ１０５の下側に位置するプッシュ機構２０２が設置され、前記撹拌空間１２９の右側には前記伝動チャンバ１０５の下側に位置する沈殿物出口機構２０３が設置され、前記撹拌空間１２９の右下端壁の中には下端壁が外界空間と連通する排水口１２０が設置され、前記排水口１２０の上端壁と前記撹拌空間１２９とが連通し、前記排水口１２０の中には排水制御弁１１９が設置され、前記混合反応機構２００がまた前記駆動軸１４１に固定的に取り付けられる二本の回転棒１３４を含み、その作用は、廃水と粒状物質凝集剤とに対し初期の撹拌を行う。
【００１６】
有益的に、前記撹拌濾過機構２０１がまた前記撹拌棒１３５の下端に固定的に取り付けられる二本の撹拌ロッド１３１を含み、前記撹拌棒１３５には前記第一ベルトチャンバ１６９の中に位置する回転プーリ１３７が固定的に連結され、前記回転プーリ１３７と前記駆動プーリ１３６とがベルトにより連結され、前記撹拌棒１３５には前記第二ベルトチャンバ１０２の中に位置する第一被動プーリ１３３が固定的に連結され、前記第一被動プーリ１３３には前記第二ベルトチャンバ１０２の中に位置する第二被動プーリ１０３がベルトにより連結され、前記第二被動プーリ１０３の中心には従動軸１０４が固定的に連結され、前記従動軸１０４が前記第二ベルトチャンバ１０２の下端壁と前記伝動チャンバ１０５の端壁とを貫通し、かつ、前記伝動チャンバ１０５と回転できるように連結され、その作用は、前記撹拌棒１３５と前記撹拌ロール１３２とが逆方向に回転することを実現し、廃水と粒状物質凝集剤との撹拌速度を高める。
【００１７】
有益的に、前記制御機構２０４がまた前記プレスチャンバ２１０の下端壁に固定的に取り付けられるプレスばね１９７を含み、前記プレスばね１９７の上端が前記プレスバー１７０の下端面と固定的に連結され、前記制御歯車１５２の中にはラチェット溝１５４が設置され、前記ラチェット溝１５４の上下端壁にはスライド溝１５７が対称的に設置され、前記スライド溝１５７のうち前記制御歯車１５２の中心から離れている端壁には収縮ばね１５８が固定的に連結され、前記収縮ばね１５８のうち前記制御歯車１５２の中心に近い一端にはスライドブロック１５６が固定的に連結され、前記スライドブロック１５６と前記スライド溝１５７とがスライドできるように連結され、前記制御歯車１５２の中心には入力軸１５３が固定的に連結され、前記入力軸１５３と前記制御チャンバ１１８の前端壁とが回転できるように連結され、前記入力軸１５３には前記制御歯車１５２の前側に位置する力蓄積ばね１８４が固定的に連結され、前記制御チャンバ１１８の後端壁には前記プレスバー１７０の左右両側に対称的に設置される出力軸１５５が回転できるように連結され、前記出力軸１５５にはラチェット１５１が固定的に連結され、前記ラチェット１５１のラチェット歯と前記スライドブロック１５６とが当接され、左側の前記出力軸１５５には前記ラチェット１５１の後側に位置する出力プーリ１７６が固定的に連結され、前記出力プーリ１７６には連結プーリ１１７がベルトにより連結され、前記連結プーリ１１７の中心には動力軸１８１が固定的に連結され、前記動力軸１８１が前記動力軸１８１の前後端壁とが回転できるように連結され、右側の前記出力軸１５５には前記ラチェット１５１の後側に位置する第一回転傘歯車１６５が固定的に連結され、前記第一回転傘歯車１６５の後端には第二回転傘歯車１６４が噛合し連結され、前記第二回転傘歯車１６４の中心には旋転軸１２２が固定的に連結され、その作用は、前記濾過網１２８に積み上げてある沈殿物を外界空間に押し出す。
【００１８】
有益的に、前記プッシュ機構２０２が押しチャンバ１９８を含み、前記撹拌空間１２９の左端壁の中には前記押しチャンバ１９８が設置され、前記押しチャンバ１９８の右端壁と前記撹拌空間１２９とが連通され、前記押しチャンバ１９８の左端壁の中には動力チャンバ１０９が設置され、前記動力チャンバ１０９の右端壁と前記押しチャンバ１９８とが連通され、前記動力チャンバ１０９が前記制御チャンバ１１８の上端壁の中に位置し、前記制御チャンバ１１８の中には前記動力軸１８１が設置され、前記動力軸１８１には前記連結プーリ１１７の後側に位置する入力傘歯車１１６が固定的に連結され、前記入力傘歯車１１６の上端には出力傘歯車１１５が噛合し連結され、前記出力傘歯車１１５の上端には回転軸１１４が固定的に連結され、前記回転軸１１４の上端が前記制御チャンバ１１８の上端壁と前記動力チャンバ１０９の下端壁とを貫通し、かつ、前記動力チャンバ１０９の中に位置し、前記回転軸１１４の上端には被動傘歯車１１３が固定的に連結され、前記被動傘歯車１１３の後端には連結傘歯車１１１が噛合し連結され、前記連結傘歯車１１１の中心には連結軸１１２が固定的に連結され、前記連結軸１１２が前記動力チャンバ１０９の前後端壁と回転できるように連結され、前記連結軸１１２には前記連結傘歯車１１１の後側に位置する第一連接棒１１０が回転できるように連結され、前記第一連接棒１１０のもう一端には第二連接棒１６６が回転できるように連結され、前記第二連接棒１６６のもう一端が前記動力チャンバ１０９の右端壁を貫通し、かつ、前記押しチャンバ１９８の中に位置し、前記押しチャンバ１９８の中にはプッシュブロック１３０がスライドできるように連結され、前記プッシュブロック１３０の左端面には連結棒１６８が固定的に連結され、前記第二連接棒１６６のもう一端が前記連結棒１６８の左端に固定的に連結され、その作用は、前記濾過網１２８の上端面に積み上げてある沈殿物を外界空間に押し出す。
【００１９】
有益的に、前記沈殿物出口機構２０３が前記撹拌空間１２９の右端壁に設置される沈殿物出口１２６を含み、前記制御チャンバ１１８の右端壁の中には運送空きチャンバ１２１が設置され、前記運送空きチャンバ１２１の前端壁の中にはラック移動チャンバ１９９が設置され、前記ラック移動チャンバ１９９の後端壁の中には前記運送空きチャンバ１２１の上側に位置する平行移動チャンバ１２４が設置され、前記旋転軸１２２が前記制御チャンバ１１８の右端壁と前記運送空きチャンバ１２１の端壁とを貫通し、かつ、前記運送空きチャンバ１２１と回転できるように連結され、前記旋転軸１２２には前記運送空きチャンバ１２１の中に位置する回転歯車１２３が固定的に連結され、前記回転歯車１２３の前端には移動ラック１９５が噛合し連結され、前記移動ラック１９５が前記運送空きチャンバ１２１の上端壁と前記平行移動チャンバ１２４の下端壁とを貫通し、前記移動ラック１９５が前記ラック移動チャンバ１９９の左右端壁とスライドできるように連結され、前記移動ラック１９５の前端面にはロープ１９１が固定的に連結され、前記ロープ１９１のもう一端が前記プレスバー１７０の下端面に固定的に連結され、前記移動ラック１９５の前端面には前記ロープ１９１の上下両側に対称的に設置される第一戻しばね１９６が固定的に連結され、前記第一戻しばね１９６の前端が前記ラック移動チャンバ１９９の前端壁と固定的に連結され、前記平行移動チャンバ１２４の中には出口スライディングドア１２７がスライドできるように連結され、前記出口スライディングドア１２７が前記沈殿物出口１２６の上下端壁を貫通し、前記出口スライディングドア１２７の下端面には第二戻しばね１２５が固定的に連結され、前記第二戻しばね１２５の下端が前記平行移動チャンバ１２４の下端壁と固定的に連結され、前記出口スライディングドア１２７の中には空き溝１９３が設置され、前記空き溝１９３の前端壁が前記平行移動チャンバ１２４と連通され、前記空き溝１９３の中には移動ブロック１９４がスライドできるように連結され、前記移動ブロック１９４の前端が前記空き溝１９３の前端壁を貫通し、かつ、前記移動ラック１９５の後端面と固定的に連結され、その作用は、前記濾過網１２８が前記押しチャンバ１９８の下端壁に近いところまで上昇するとき、前記出口スライディングドア１２７が降りて前記沈殿物出口１２６を外界空間と連通し、前記プッシュ機構２０２が沈殿物を便利に押し出すことができる。
【００２０】
下記に、出願人が図１〜６と上記の本出願の廃水処理装置の具体的な構成を参照し本出願の廃水処理装置の使用方法を詳しく紹介する：使用するとき、廃水が廃水入り口１４２から混合チャンバ１４３の中に入り、これによりインペラ１４０を駆動し回転させ、粒状物質凝集剤が粒状物質凝集剤仕込み口１４７からプッシュチャンバ１４４の左端壁の中に落ち、インペラ１４０が回転し駆動軸１４１を駆動し回転させ、これによりカム１３９を駆動し回転させ、プッシュロッド１４５の右端とカム１３９の外輪とが接触するとき、プッシュばね１４８が圧縮され、プッシュロッド１４５の右端とカム１３９の凹部とが接触するとき、プッシュばね１４８の弾性により、ばねブロック１４６がプッシュチャンバ１４４の中に落ちる粒状物質凝集剤を飛ばして混合チャンバ１４３に入らせ、混合チャンバ１４３に入る廃水と粒状物質凝集剤とが回転棒１３４の回転により反応を起こし、そして初期撹拌された廃水と粒状物質凝集剤とが混合チャンバ１４３の下端壁から撹拌空間１２９の中に入り、水の衝撃力により濾過網１２８の降下を駆動し、駆動軸１４１が回転し駆動プーリ１３６を駆動し回転させ、これにより駆動プーリ１３６とベルトにより連結される回転プーリ１３７を駆動し回転させ、これにより撹拌棒１３５を駆動し回転させ、これにより第一被動プーリ１３３を駆動し回転させ、これにより第一被動プーリ１３３とベルトにより連結される第二被動プーリ１０３を駆動し回転させ、これにより従動軸１０４を駆動し回転させ、これにより伝動スパーギヤー１０６を駆動し回転させ、これにより伝動スパーギヤー１０６と噛合する被動スパーギヤー１０７を駆動し回転させ、これにより撹拌棒１３５と撹拌ロール１３２との対向回転を実現し、二回撹拌の速度を高め、廃水と粒状物質凝集剤との反応がより十分になる。
【００２１】
そして、排水制御弁１１９を開き、反応に撹拌された水を排水口１２０から排出した後、濾過網１２８の上端面には残りの沈殿物しかなく、これにより濾過網１２８が上昇し、これによりプレスバー１７０を駆動し上昇させ、制御歯車１５２が回転し、これにより入力軸１５３を駆動し回転させ、これにより力蓄積ばね１８４が力を蓄積し、濾過網１２８が押しチャンバ１９８の下端壁に近いところまで上昇するとき、プレスバー１７０が制御歯車１５２との噛合から離れ、制御歯車１５２が逆方向に回転し、これによりラチェット１５１を駆動し回転させ、これにより出力軸１５５を駆動し回転させ、これにより第一回転傘歯車１６５を駆動し回転させ、これにより第一回転傘歯車１６５と噛合する第二回転傘歯車１６４を駆動し回転させ、これにより旋転軸１２２を駆動し回転させ、これにより回転歯車１２３を駆動し回転させ、これにより回転歯車１２３と噛合する移動ラック１９５を駆動し下へ移動させ、これにより出口スライディングドア１２７を駆動し下へ移動させて沈殿物出口１２６を外界空間と連通し、第二戻しばね１２５が圧縮され、制御歯車１５２が逆方向に回転し、これによりラチェット１５１を駆動し回転させ、これにより出力軸１５５を駆動し回転させ、これにより出力プーリ１７６を駆動し回転させ、これにより出力プーリ１７６とベルトにより連結される連結プーリ１１７を駆動し回転させ、これにより動力軸１８１を駆動し回転させ、これにより入力傘歯車１１６を駆動し回転させ、これにより出力傘歯車１１５を駆動し回転させ、これにより回転軸１１４を駆動し回転させ、これにより被動傘歯車１１３を駆動し回転させ、連結傘歯車１１１をちょうど一周回転させ、これにより連結軸１１２を駆動し回転させ、これにより第一連接棒１１０を駆動し回転させ、これにより第二連接棒１６６を駆動し第一連接棒１１０の回転と共に回転させ、これにより連結棒１６８とプッシュブロック１３０とを駆動し濾過網１２８の上端面に積み上げてある沈殿物を押し出しリセットし、プレスバー１７０が制御歯車１５２との噛合から離れ、プッシュ機構２０２が沈殿物を沈殿物出口１２６から外界空間に押し出す。
【００２２】
そして、沈殿物が押し出された後、プレスばね１９７がリセットし続けプレスバー１７０と濾過網１２８とをプッシュし上に移動させ、これによりロープ１９１が移動ラック１９５を前に引き出し、移動ラック１９５の後端面が回転歯車１２３との噛合から離れ、これにより第二戻しばね１２５が出口スライディングドア１２７を上にプッシュし、これにより移動ラック１９５が出口スライディングドア１２７と共に上に移動し、第一戻しばね１９６が改めて移動ラック１９５を前にプッシュし移動ラック１９５の後端面を回転歯車１２３と改めて噛合させ、装置が初期位置に戻る。
【００２３】
本発明の有益的な効果は：本装置は構造が簡単で、コンパクトな伝動構造により廃水の処理を完成し、各機構の間の伝動により装置作動の関連性を増加し、汚水が混合チャンバに入るときインペラを駆動し回転させ、装置の作動に十分の運動エネルギーを提供し、ラチェット機構と力蓄積ばねにより装置作動のとき発生する運動エネルギーをリサイクルし、エネルギーを節約し、同時に流れる水の量に応じて随時に粒状物質凝集剤を自動的に添加し、回転方向が逆な撹拌機構と反応チャンバにより汚水に添加された粒状物質凝集剤の撹拌の均一性を増加し、濾過効率を高め、十分の浄化を保証する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。